【手続補正書】
【提出日】平成18年9月7日(2006.9.7)
【手続補正１】
【補正対象書類名】特許請求の範囲
【補正対象項目名】全文
【補正方法】変更
【補正の内容】
【特許請求の範囲】
【請求項１】
エレクトロクロミックまたは電着ディスプレイであって、複数の閉じたセルを含み、該セルの各々が、
（ａ）周囲の仕切壁、
（ｂ）セル内に充填されたエレクトロクロミック流体または電解流体、および
（ｃ）エレクトロクロミック流体または電解流体を各セル内に閉じ込め、および仕切壁の表面に封止的に付着するポリマー性封止層
を含む、ディスプレイ。
【請求項２】
前記電解流体が溶媒中またはポリマーマトリックス中に溶解した金属塩を含む、請求項１に記載のディスプレイ。
【請求項３】
前記金属塩が銀塩である、請求項２に記載のディスプレイ。
【請求項４】
前記電解流体が支持電解質を更に含む、請求項２に記載のディスプレイ。
【請求項５】
前記支持電解質がハロゲン化リチウム、ハロゲン化ナトリウム、ハロゲン化カリウム、ハロゲン化カルシウムまたはハロゲン化４級アンモニウム塩である、請求項４に記載のディスプレイ。
【請求項６】
前記エレクトロクロミック流体がレドックス発色団、電解質および不活性溶媒を含む、請求項１に記載のディスプレイ。
【請求項７】
前記レドックス発色団がビオロゲン誘導体である、請求項６に記載のディスプレイ。
【請求項８】
前記電解質が過クロム酸リチウム（ＬｉＣｌＯ４）、リチウムトリフレート（Ｌｉ（Ｆ３ＣＳＯ３））またはテトラブチルアンモニウム（ＴＢＡ）トリフレートである、請求項６に記載のディスプレイ。
【請求項９】
前記エレクトロクロミック流体がルチル酸化チタン、ＢａＳＯ４または酸化亜鉛の白色色素粒子を更に含む、請求項６に記載のディスプレイ。
【請求項１０】
エレクトロクロミックまたは電着ディスプレイであって：
ａ）少なくとも一方が透明である上部電極板および底部電極板、ならびに
ｂ）２つの電極間に閉じ込められた複数の閉じたセルであって、該閉じたセルの各々が
（i）周囲の仕切壁、
（ii）セル内に充填されたエレクトロクロミック流体または電解流体、および
（iii）エレクトロクロミック流体または電解流体を各セル内に閉じ込め、および仕切壁の表面に封止的に付着するポリマー性封止層
を含む、複数のセル
を含む、ディスプレイ。
【請求項１１】
前記セルがガス吸収物質を含む組成物から形成される、請求項１０に記載のディスプレイ。
【請求項１２】
前記組成物が水素化または酸化反応のための触媒を更に含む、請求項１１に記載のディスプレイ。
【請求項１３】
前記ポリマー性封止層がガス吸収物質を含む組成物から形成される、請求項１０に記載のディスプレイ。
【請求項１４】
前記組成物が導電性ポリマーもしくはそのドープされた誘導体、カーボンブラック、グラファイト、金属酸化物または金属の粒子または繊維を更に含む、請求項１３に記載のディスプレイ。
【請求項１５】
前記上部電極板が前記ポリマー性封止層の上に接着剤層によりラミネートされており、接着剤層はガス吸収物質を含む、請求項１０に記載のディスプレイ。
【請求項１６】
前記接着剤層が導電性ポリマーもしくはそのドープされた誘導体、カーボンブラック、グラファイト、金属酸化物または金属の粒子または繊維を更に含む、請求項１５に記載のディスプレイ。
【請求項１７】
閉じたセルと前記底部電極板またはフィルムとの間にプライマー層を更に含み、該プライマー層は導電性ポリマーもしくはそのドープされた誘導体、カーボンブラック、グラファイト、金属酸化物または金属の粒子または繊維を含む、請求項１０に記載のディスプレイ。
【請求項１８】
前記プライマー層がガス吸収物質を含む、請求項１７に記載のディスプレイ。
【請求項１９】
エレクトロクロミックまたは電着ディスプレイを製造するための方法であって、
ａ）エンボス加工または画像露光によりマイクロカップを作製する工程、
ｂ）このようにして形成したマイクロカップにエレクトロクロミックまたは電着流体を充填する工程、
ｃ）充填したマイクロカップを封止する工程、および場合により、
ｄ）工程ｂ）の前にマイクロカップを酸化剤または染色剤で処理すること、および、残留している酸化剤または染色剤を除去するため、処理したマイクロカップを溶媒または水性溶液ですすぐ工程
を含む方法。
【請求項２０】
前記ポリマー性封止層がエレクトロクロミックまたは電解流体より小さい比重を有する組成物から形成されている、請求項１または１０に記載のエレクトロクロミックまたは電着ディスプレイ。
【請求項２１】
前記ポリマー性封止層がイン・シトゥーで硬化させたものである、請求項１または１０に記載のエレクトロクロミックまたは電着ディスプレイ。
【手続補正２】
【補正対象書類名】明細書
【補正対象項目名】０００５
【補正方法】変更
【補正の内容】
【０００５】
マイクロカップ技術および関連発明は同時係属出願、とりわけ、２０００年３月３日に出願された米国出願第０９／５１８，４８８号（国際公開第０１／６７１７０号に対応）、２００２年２月２８日に出願された米国出願公開２００２−０１３１１５２に対応する米国出願第１０／０８７，５２７号、２００１年８月２９日に出願された米国出願公開２００２−７５５５６に対応する米国出願第０９／９４２，５３２号（国際公開第０３／０１９２８０号に対応）、２００２年３月６日に出願された米国出願公開２００３−００５３１９０に対応する米国出願第１０／０９２，９３６号、２００２年６月２４日に出願された米国出願公開２００３−０００７２３８に対応する米国出願第１０／１７９，９９７号、２００１年２月１５日に出願された米国出願公開２００２−０１８２５４４に対応する米国出願第０９／７８４，９７２号（国際公開第０２／６５２１５号に対応）、２０００年６月２８日に出願された米国出願第０９／６０６，６５４号（国際公開第０２／０１２８１号に対応）、２００１年６月４日に出願された米国出願公開２００２−０１８８０５３に対応する米国出願第０９／８７４，３９１号（国際公開第０２／０９８９７７号に対応）、２００１年４月２３日に出願された米国出願公開２００２−０１７６９６３に対応する米国出願第０９／８４０，７５６号（国際公開第０２／０８６６１３号に対応）、２００２年８月２７日に出願された米国出願公開２００３−００４３４５０に対応する米国出願第１０／２２９，５３０号（国際公開第０３／０２１３４６号に対応）、２００３年４月２３日に出願された米国出願第１０／４２２，６０８号、２００３年７月１０日に出願された米国出願第１０／６１８，２５７号、および米国特許第６，５４５、７９７号に開示されている。これら全ては参照することによりその全体が本明細書に組み込まれる。
【手続補正３】
【補正対象書類名】明細書
【補正対象項目名】００２１
【補正方法】変更
【補正の内容】
【００２１】
マイクロエンボス加工の処理工程を図２ａおよび２ｂに示す。雄型（２０）は、ウェブ（２４）の上方（図２ａ）または下方（図２ｂ）のいずれに配置してもよい。ガラス板またはプラスチック基材上に透明導体フィルム（２１）を形成することによって透明な導電性基材を作製する。そして、導体フィルム上に熱可塑性物、熱硬化物またはそれらの前駆体を含む組成物（２２）をコート（または被覆）する。ローラー、プレートまたはベルトの形態の雄型により、熱可塑性物または熱硬化物の前駆体の層のガラス転移温度（Ｔｇ）より高い温度にて熱可塑性物または熱硬化物の前駆体の層をエンボス加工する。
【手続補正４】
【補正対象書類名】明細書
【補正対象項目名】００２３
【補正方法】変更
【補正の内容】
【００２３】
マイクロカップ材料と導体フィルムとの間の接着性を向上させるため、および型のリリース（または脱型）を容易にするためにも、オプションのプライマー層（１３ａ）を使用して導体フィルムを前処理してよい。電子移動反応を促進するため、導電性フィラーまたは添加剤、例えば導電性ポリマーの粒子または繊維をプライマー層に添加してよい。導電性ポリマーの例には、ポリアセチレン、ポリ（ｐ−フェニレン）、ポリ（ｐ−フェニレンビニレン）、ポリ（フェニレンスルフィド）、ポリピロール、ポリチオフェン、ポリアニリンおよびそれらのドープされた誘導体；カーボンブラック；グラファイト；金属酸化物、例えばＩＴＯ（インジウム−スズ酸化物）、ＡＴＯ（アンチモン−スズ酸化物）またはＺＴＯ（亜鉛−スズ酸化物）など、ならびに金属、例えばＡｕ、Ａｇ、Ｃｕ、Ｆｅ、Ｃｒ、Ａｌ、Ｍｇ、ＺｎまたはＮｉなどが挙げられる。例えばＡＴＯ粒子などの透明な導電性粒子および導電性ポリマー粒子が特に好ましい。より多数の電気伝導性ポリマーのリストは、例えばM. Takemoto、R.M. OttenbriteおよびM. Kamachi編、「機能性モノマーおよびポリマー（Functional Monomers and Polymers）」（１９９７年）；およびT.A. Skotheim、R.L. ElsenbaumerおよびJ. Reynolds編、「導電性ポリマーのハンドブック（Handbook of Conducting Polymers）」（１９９８年）に見ることができる。
【手続補正５】
【補正対象書類名】明細書
【補正対象項目名】００２４
【補正方法】変更
【補正の内容】
【００２４】
また、オプションのプライマー層はガス吸収物質を含んでいてもよい。適切なガス吸収剤（特に塩素、水素または酸素に対するもの）にはゴム、例えばポリブタジエン、ニトリルゴム、スチレン−ブタジエンコポリマー；ノルボルネン、例えば５−エチリデン−２−ノルボルネンなどが含まれる。プライマー層組成物は水素化または酸化反応のための触媒を更に含んでいてよい。適切な触媒にはＣｏまたはＶの複合体（または錯体）、例えばＣｏアセトアセテート、Ｃｏアセチルアセトネート、ＶアセトアセテートまたはＶアセチルアセトネートが含まれる。
【手続補正６】
【補正対象書類名】明細書
【補正対象項目名】００３７
【補正方法】変更
【補正の内容】
【００３７】
封止組成物はオプションとして（または場合により）添加剤、例えばポリマー性バインダーもしくはシックナー（または増粘剤）、ガス吸収剤、光開始剤、触媒、フィラー、着色剤または界面活性剤などを含んでいてよい。封止組成物および電解流体は、例えばインラインミキサーにより十分にブレンドして、精密なコーティング機構、例えばマイラド・バー（Myrad bar）、グラビア印刷、ドクター・ブレード、スロット・コーティングまたはスリット・コーティングによってマイクロカップ上に直ちに被覆する。所望であれば、過剰の流体をワイパーブレードまたは同様のデバイスにより掻き取り除去する。少量の溶媒または溶媒混合物、例えばシクロヘキサノン、イソプロピルアセテート、エチルアセテート、メチルエチルケトン、イソプロピルアルコール、メタノールまたはその水溶液を使用してマイクロカップの仕切壁の上面に残留する電解流体を除去してよい。封止組成物は電解流体と非混和性であり、および電解流体中の溶媒および金属塩よりも小さい比重を有する。揮発性有機溶媒を使用して電解流体の粘度および被覆率（coverage）を制御してよい。その後、充填したマイクロカップを乾燥させ、そして、封止組成物が電解流体の上部に浮かんでくる。封止組成物が分離する間またはそれが上部に浮かんだ後、上澄部の封止層を例えばＵＶで硬化させることによってマイクロカップを封止できる。他の形態の放射線、例えば可視光、ＩＲおよび電子ビームを使用して硬化させてマイクロカップをシールしてよい。別法では、熱または湿気硬化性組成物を用いる場合には、乾燥、硬化およびマイクロカップをシールするために熱または湿気を利用してもよい。
【手続補正７】
【補正対象書類名】明細書
【補正対象項目名】００４３
【補正方法】変更
【補正の内容】
【００４３】
電子移動反応、ひいてはディスプレイ性能を改良するため、プライマー層について上述したように、封止組成物が導電性フィラー、例えば導電性ポリマー、カーボンブラック、グラファイト、金属または金属酸化物の粒子または繊維を含むことが好ましい。適切な導電性ポリマーにはポリアセチレン、ポリ（ｐ−フェニレン）、ポリ（ｐ−フェニレンビニレン）、ポリ（フェニレンスルフィド）、ポリピロール、ポリチオフェン、ポリアニリンおよびそれらのドープされた誘導体が含まれる。適切な金属にはＡｕ、Ａｇ、Ｃｕ、Ｆｅ、Ｃｒ、Ａｌ、Ｍｇ、ＺｎまたはＮｉが含まれる。適切な金属酸化物にはＩＴＯ、ＡＴＯまたはＺＴＯが含まれる。
【手続補正８】
【補正対象書類名】明細書
【補正対象項目名】００４７
【補正方法】変更
【補正の内容】
【００４７】
本発明の電着デバイスの動作を図６ａおよび６ｂに図示する。マイクロカップ技術により形成されたセル（６０）が上部電極板（６１）および底部電極板（６２）の間に挟持される。２つの電極板は駆動電源（図示せず）に接続される。２つの電極板間に印加される駆動電圧に応じて、上部電極板（６１）はカソードとして、および底部電極板（６２）はアノードとして機能でき、あるいはその逆となる。上部電極板（６１）がカソードとして、および底部電極板（６２）がアノードとして機能する場合、上部電極において金属イオンの還元が起こる：
【化１】
2005538424.tif 000001
この結果、形成された銀粒子が上部電極板付近の領域に析出（または付着）して（図６ａ）、この領域を着色（またはカラー）状態にし、このことは（上部側が観察（または表示面）側であると仮定して）観察者により観察できる。析出する金属の量は印加する電圧に依存し得る。従って、印加する電圧の大きさを変化させることにより、ディスプレイの透過性を変化させることができる。より詳細には、印加する電圧が小さいと透過性が高くなり得る。
【手続補正９】
【補正対象書類名】明細書
【補正対象項目名】００４９
【補正方法】変更
【補正の内容】
【００４９】
反射率およびコントラストを増加させるため、バックグラウンドカラーとしての電解流体に反射性粒子を添加してよい。この粒子として最も好ましい材料にはＴｉＯ２、ＺｎＯ、ＢａＳＯ４およびシリカが含まれる。流体中に反射性粒子を含めることの不利点は粒子が沈降することである。しかしながら、この問題は粒子の比重が電解流体の比重と適合するように粒子を適切なポリマーでマイクロカプセル化することによって排除できる。色素粒子のマイクロカプセル化は化学的または物理的に実施してよい。代表的なマイクロカプセル化法には界面重合、イン・シトゥー（またはその場での）重合（in-situ polymerization）、相分離、コアセルベーション、静電コーティング、噴霧乾燥、流動床コーティングおよび溶媒蒸発が含まれる。
【手続補正１０】
【補正対象書類名】明細書
【補正対象項目名】００５１
【補正方法】変更
【補正の内容】
【００５１】
Ｖ．  本発明のＥＣＤまたはＥＤＤの製造
本発明の方法を図７に示すようなフローダイアグラムにより説明する。全てのマイクロカップには電解流体が充填される。この方法は以下の工程を含む連続ロール・トゥ・ロール・プロセスとすることができる：
１．熱可塑性物、熱硬化物またはその前駆体の層（７０）をオプションとして溶媒と一緒に、導体フィルム（７１）上にコートする。溶媒は存在する場合には容易に蒸発する。
２．この層（７０）を、予めパターン形成した雄型（７２）により材料のガラス転移温度より高い温度でエンボス加工する。
３．好ましくは層（７０）を適当な手段で硬化させている間またはその後、層（７０）から型を外す（またはリリースする）。
４．このようにして形成したマイクロカップ（７３）のアレイに、電解流体と非適合性であり、および電解流体より小さい比重を有する封止組成物を含むＥＤＤまたはＥＣＤ電解流体を充填する。封止組成物は導電性材料、好ましくは導電性粒子を含む。
５．封止組成物が分離して液相の上部に上澄層を形成する間またはその後、好ましくはＵＶ（７５）などの放射線により、または熱もしくは湿気により、封止組成物を硬化させることによって、マイクロカップを封止し、これにより電解流体を含む閉じられたディスプレイセルを形成する。
６．ディスプレイセルの封止したアレイに、感圧性接着剤、ホットメルト接着剤または熱、湿気もしくは放射線硬化性接着剤であってよい接着剤層（７７）で予めコートした第２の導体フィルム（７６）をラミネートする（または重ねる）。接着剤に好ましい材料にはアクリル、スチレン−ブタジエンコポリマー、スチレン−ブタジエン−スチレンブロックコポリマー、スチレン−イソプレン−スチレンブロックコポリマー、ポリビニルブチラール、セルロースアセテートブチレート、ポリビニルピロリドン、ポリウレタン、ポリアミド、エチレンビニルアセテートコポリマー、エポキシド、多官能性アクリレート、ビニル、ビニルエーテルおよびそれらのオリゴマー、ポリマーまたはコポリマーが含まれる。電極板に対して垂直な方向における導電性によって異方性導電性を付与するため、接着剤層は、プライマーおよび封止層について上述したように、分散した導電性粒子を含むことが好ましい。